(57)【特許請求の範囲】
【請求項１】
グリル庫と、
前記グリル庫を加熱するグリルバーナであって、炭化水素を含む気体を燃料とするグリルバーナと、
前記グリルバーナの燃焼状態を制御して自動調理を実行する制御部と、
前記自動調理の調理時間を設定する調理タイマと、
前記調理タイマの時間を表示する表示部と
を備え、
前記制御部が、前記調理タイマを用いた自動調理工程を実行することが可能で、かつ、前記調理タイマを用いた自動調理工程の一部に、前記グリルバーナを停止させて余熱による加熱を行う余熱調理工程を含む自動調理メニューを実行できるように構成されているとともに、
前記表示部に、前記余熱調理工程の残り時間を含む前記自動調理工程の残り時間を表示するように構成され、かつ、
前記自動調理工程に含まれる前記余熱調理工程の時間の、前記自動調理工程の時間に対する比率を変更することが可能で、種々の被調理物に応じて前記比率を定めることができるように構成されているとともに、
前記自動調理工程における火力の設定が、弱、標準、強と強くなるのに伴って、前記比率が小さくなるように構成されていること
を特徴とするガスグリル。
【請求項２】
前記グリル庫からの調理排気を前記グリル庫の外に排出する排気路を備え、かつ、前記余熱調理工程において、前記調理排気が前記排気路内を通流することを抑制する調理排気通流抑制部を備えていること
を特徴とする請求項１記載のガスグリル。
【発明の詳細な説明】
【技術分野】
【０００１】
本発明は、肉や魚などの被調理物を焼くのに用いられるガスグリルに関し、詳しくは、ガスグリルの省エネルギ性を向上させるための技術に関する。
【背景技術】
【０００２】
肉や魚などの被調理物を焼くのに用いられるガスグリルや、そのようなガスグリルを備えたグリル付きコンロが従来より広く用いられている。
【０００３】
そして、特許文献１には、調理メニューとしてあたためメニューを備えたガスグリルが開示されている。
【０００４】
この特許文献１のガスグリルは、グリルの加熱手段として、上バーナおよび下バーナを備え、あたためメニューの設定に応じて、調理工程が進捗した時点で、上バーナを消火して下バーナのみにより加熱を行う調理工程に移行し、全調理工程が完了した時点で、下バーナを消火してあたため調理を終了するように構成されている。
【０００５】
そして、特許文献１のガスグリルによれば、上述のあたためメニューを設定することで、被調理物として肉や魚を焼く調理の他に、焼きおにぎりやピザなどをあたためる調理を行うことが可能になる。
【０００６】
また、特許文献１のガスグリルでは、上バーナにより被加熱物の上面が焦げてしまうことを防止できるようになるばかりでなく、調理工程が進捗した時点で上バーナを消火するようにしていることから、無駄にエネルギを消費することが抑制され、省エネルギ性を向上させることができるようになる。
【０００７】
しかしながら、近年では、さらなる省エネルギ性が求められるに至っており、改善が望まれているのが実情である。
【先行技術文献】
【特許文献】
【０００８】
【特許文献１】特開２０１０−０２２４２５号公報
【発明の概要】
【発明が解決しようとする課題】
【０００９】
本発明は、上記課題を解決するものであり、エネルギを有効に活用することが可能で、従来のガスグリルに比べて省エネルギ性をさらに改善することが可能なガスグリルを提供することを目的とする。
【課題を解決するための手段】
【００１０】
上記課題を解決するために、本発明のガスグリルは、
グリル庫と、
前記グリル庫を加熱するグリルバーナであって、炭化水素を含む気体を燃料とするグリルバーナと、
前記グリルバーナの燃焼状態を制御して自動調理を実行する制御部と、
前記自動調理の調理時間を設定する調理タイマと、
前記調理タイマの時間を表示する表示部と
を備え、
前記制御部が、前記調理タイマを用いた自動調理工程を実行することが可能で、かつ、前記調理タイマを用いた自動調理工程の一部に、前記グリルバーナを停止させて余熱による加熱を行う余熱調理工程を含む自動調理メニューを実行できるように構成されているとともに、
前記表示部に、前記余熱調理工程の残り時間を含む前記自動調理工程の残り時間を表示するように構成され、かつ、
前記自動調理工程に含まれる前記余熱調理工程の時間の、前記自動調理工程の時間に対する比率を変更することが可能で、種々の被調理物に応じて前記比率を定めることができるように構成されているとともに、
前記自動調理工程における火力の設定が、弱、標準、強と強くなるのに伴って、前記比率が小さくなるように構成されていること
を特徴としている。
【００１１】
本発明のガスグリルにおいては、前記グリル庫からの調理排気を前記グリル庫の外に排出する排気路を備え、かつ、前記余熱調理工程において、前記調理排気が前記排気路内を通流することを抑制する調理排気通流抑制部を備えていることが好ましい。
【発明の効果】
【００１２】
本発明のガスグリルは、グリル庫と、炭化水素を含む気体を燃料とするグリルバーナと、グリルバーナの燃焼状態を制御して自動調理を実行する制御部と、自動調理の調理時間を設定する調理タイマと、調理タイマの時間を表示する表示部とを備え、制御部が、調理タイマを用いた自動調理工程を実行することが可能で、かつ、調理タイマを用いた自動調理工程の一部に、グリルバーナを停止させて余熱による加熱を行う余熱調理工程を含む自動調理メニューを実行できるように構成されているので、エネルギを有効に活用することが可能で、省エネルギ性に優れたガスグリルを提供することができる。
【００１３】
すなわち、自動調理工程の一部に、グリルバーナを停止させて余熱による加熱を行う余熱調理工程を備えた自動調理メニューを実行するようにしているので、余熱調理工程を備えている分だけ、省エネルギ性を確実に向上させることが可能になる。
【００１４】
しかも、表示部に、グリルバーナを燃焼させて行う通常の自動調理工程と、グリルバーナを停止させて行う余熱調理工程の残り時間を含む、自動調理工程の全体の残り時間を表示するようにしているので、当該表示部の表示から、余熱調理工程を含む全自動調理工程の残り時間を確実に把握することができるため使い勝手を向上させることができる。
【００１５】
また、グリルバーナの燃料ガスとして、炭化水素を含むものが用いられるので、グリルバーナの燃焼ガスには二酸化炭素が含まれることになり、余熱調理工程において、燃焼ガスとの接触により被調理物が加熱されるだけでなく、二酸化炭素からの輻射熱によっても被調理物が加熱されることから、余熱による加熱、調理の効果をより高めることが可能になる。
【００１６】
また、余熱調理工程の時間の、自動調理工程の時間に対する比率を変更することができるように構成しているので、種々の被調理物に応じて、全工程に対する余熱調理工程の時間の比率を定めることが可能になるので、さらに使い勝手を向上させることができる。
【００１７】
また、自動調理工程における火力の設定が、弱、標準、強と強くなるのに伴って、上述の比率が小さくなるように構成しているので、種々の被調理物に応じて、全工程に対する余熱調理工程の時間の比率を定めることが可能になり、さらに使い勝手を向上させることができる。
【００１８】
また、グリル庫からの調理排気をグリル庫の外に排出する排気路を備え、かつ、余熱調理工程において、調理排気が排気路内を通流することを抑制する調理排気通流抑制部を備えるようにした場合、調理排気に含まれる二酸化炭素を含む調理排気を、グリル内に長く滞留させることが可能になる。その結果、輻射熱により被調理物の加熱が行われる時間を長くして、省エネルギ性をさらに向上させることができる。
【図面の簡単な説明】
【００１９】
【図１】本発明の一実施形態にかかるガスグリルを備えたグリル付きコンロの外観構成を示す斜視図である。
【図２】本発明の一実施形態にかかるグリル付きコンロを構成するガスグリルの構成を模式的に示す断面図である。
【図３】本発明の一実施形態にかかるグリル付きコンロが備えるグリル設定パネルを示す図である。
【図４】本発明の一実施形態にかかるグリル付きコンロのあたため工程の一例を示す図である。
【図５】本発明の他の実施形態にかかるガスグリルを備えたグリル付きコンロの構成を模式的に示す断面図である。
【図６】本発明の他の実施形態にかかるガスグリルを備えたグリル付きコンロの変形例を模式的に示す断面図である。
【発明を実施するための形態】
【００２０】
以下に本発明の実施形態を示して、本発明の特徴とするところをさらに詳しく説明する。
【００２１】
［実施形態］
図１は本発明の実施形態にかかるガスグリルを備えたグリル付きコンロ（グリル付きドロップインコンロ）を示す斜視図、図２は、本発明の実施形態にかかるグリル付きコンロのガスグリルの構成を模式的に示す断面図である。
【００２２】
図１に示すように、このグリル付きガスコンロを構成するコンロ本体１０は、鍋などの調理容器を加熱する加熱手段であるバーナ１（標準バーナ１ａ、高火力バーナ１ｂ、および小バーナ１ｃの３つのバーナ）を備えている。また、コンロ本体１０の上面を構成するトッププレートＴＰ上には、各バーナ１により加熱されることになる調理容器を受け止め、支持するための五徳５１を備えている。
【００２３】
また、標準バーナ１（１ａ）には、調理容器に接触してその温度を検出するための温度センサ（鍋底温度センサ）９が配設されている。なお、高火力バーナ１ｂ、および小バーナ１ｃにも、同様に温度センサを設けるように構成することも可能である。
【００２４】
また、このグリル付きコンロは、図１および図２に示すように、魚などの被調理物１５（図２参照）を載置するためのガスグリル４を備えている。そして、ガスグリル４は、図２に示すように、グリル庫１４と、炭化水素を含む気体を燃料とするグリルバーナであって、被調理物１５を上から加熱する上バーナ４１と、被調理物１５を下から加熱する下バーナ４２と、このグリルバーナ（上バーナ４１、下バーナ４２）の燃焼状態を制御して自動調理を実行する制御部（図示せず）と、自動調理の調理時間を設定する調理タイマ（図示せず）を備えている。なお、この実施形態では、グリルバーナとして、上バーナ４１と、下バーナ４２を備えた構成としているが、グリルバーナは、上バーナのみまたは下バーナのみを備える構成としてもよい。
【００２５】
また、図１に示すように、ガスコンロの前側面には、上述のバーナ１と、ガスグリル４内に設けられたグリルバーナ（上バーナ４１、下バーナ４２）の点火および消火、火力調節と各種の設定とを手動により指令するための、加熱量調節指令手段（バーナ操作部）２１（標準バーナ操作部２１ａ、高火力バーナ操作部２１ｂ、小バーナ操作部２１ｃ）と、グリルバーナ（上バーナ４１、下バーナ４２）の点火および消火、火力調節と各種の設定とを手動により指令するためのグリルバーナ操作部２２が配設されている。
【００２６】
さらに、この実施形態のグリル付きコンロは、上述の加熱量調節指令手段（バーナ操作部）２１，２２が、加熱手段（バーナ）の燃焼開始指令および燃焼停止指令を指令する点消火指令手段としても機能するように構成されている。
なお、ガスコンロの前側面には、電源スイッチ２４、電源スイッチ２４がＯＮになったことを知らせる電源ランプ２５を備えている。
【００２７】
また、この実施形態にかかるガスグリル４は、図４に示すように、グリルバーナ（上バーナ４１、下バーナ４２）の燃焼状態を制御して自動調理を実行する制御部が、調理タイマを用いた自動調理工程の一部に、グリルバーナ（上バーナ４１、下バーナ４２）を停止させて余熱による加熱を行う余熱調理工程を含む自動調理メニューを実行することができるように構成されている。
【００２８】
また、コンロ本体１０の前面のグリル用点消火操作部２２が配置されている位置の下側には、図３に示すような、所謂カンガルーポケット形式のグリル設定パネル１１を備え、グリル用点消火操作部２２が配置されている位置の下側を使用者が手指にて押すことで、カンガルーポケットが前方に回動して、グリル設定パネル１１が引き出されるように構成されている。
【００２９】
そして、このガスグリル４の場合、図３に示すグリル設定パネル１１の「あたため」スイッチを操作することであたためモードが選択される。また、余熱による加熱を行う余熱調理工程を含む自動調理の実行を選択することが可能で、「あたため」スイッチを操作してあたためモードを選択（後述）した後に、グリル設定パネル１１の「点火／消火」スイッチまたは、図１に示すグリル用点消火操作部２２を操作することにより、余熱調理工程を含む自動調理メニューを実行するように構成されている（図３参照）。
【００３０】
なお、グリル設定パネル１１の「あたため」スイッチを操作する毎に、以下の順序で、あたためモードの選択状態がサイクリックに切り替わるように構成されている（図３参照）。
（ａ）グリル設定パネルの「強」ＬＥＤ点灯→
（ｂ）グリル設定パネルの「標準」ＬＥＤ点灯→
（ｃ）グリル設定パネルの「弱」ＬＥＤ点灯→
（ｄ）グリル設定パネルの「強」ＬＥＤおよび「標準」ＬＥＤおよび「弱」ＬＥＤの消灯（あたためモードが選択されていない状態を表す）
【００３１】
そして、上述のように、あたためモードの選択状態がサイクリックに切り替わった場合において、「強」ＬＥＤまたは「標準」ＬＥＤまたは「弱」ＬＥＤの内のいずれかのＬＥＤが点灯している状態が、あたためモードを選択している状態を示すように構成されている。
【００３２】
因みに、「強」ＬＥＤおよび「標準」ＬＥＤおよび「弱」ＬＥＤの消灯（あたためモードが選択されていない状態）では、図３のグリル設定パネル１１の「点火／消火」スイッチや図１に示すグリル用点消火操作部２２を操作しても、余熱による加熱を行う余熱調理工程を含む自動調理メニューが実行されることはない。
【００３３】
また、この実施形態にかかるグリル付きコンロは、図３に示すように、調理タイマの時間を表示する表示部１２を備え、この表示部１２に、グリルバーナ（上バーナ、下バーナ）を燃焼させて行う通常の自動調理工程と、グリルバーナを停止させて行う余熱調理工程の残り時間を含む、自動調理工程の全体の残り時間を表示するように構成されている。すなわち、この実施形態では、表示部１２が、自動調理工程の、余熱調理工程の残り時間を含む全工程の残り時間を表示するように構成されている。
なお、調理タイマの設定は、「−」スイッチまたは「＋」スイッチの操作によって行われる。
【００３４】
この実施形態のグリル付きコンロを構成するガスグリル４は、上述のように調理タイマを用いた自動調理工程の一部に、グリルバーナ（上バーナ、下バーナ）を停止させて余熱による加熱を行う余熱調理工程を含む自動調理メニューを実行することができるように構成されているので、エネルギを有効に活用することが可能で、省エネルギ性に優れたガスグリルを提供することができる。
【００３５】
しかも、表示部１２に、余熱調理工程の残り時間を含む自動調理工程の残り時間を表示するようにしているので、当該表示部１２の表示から、余熱調理工程を含む全自動調理工程の残り時間を容易に認識することができるため、使い勝手を向上させることができる。
【００３６】
また、グリルバーナ（上バーナ、下バーナ）の燃料ガスとして、炭化水素を含む燃料ガスを用いているので、グリルバーナ（上バーナ、下バーナ）の燃焼ガスには二酸化炭素が含まれることになる。その結果、余熱調理工程において、燃焼ガスとの接触により魚などの被調理物が加熱されるだけでなく、二酸化炭素からの輻射熱によっても被調理物が加熱されるので、余熱による加熱、調理を効率よく行うことが可能になる。
【００３７】
また、この実施形態では、余熱調理工程を含む自動調理工程における、全調理工程に対する余熱調理工程の時間の比率を変更することができるように構成される。
【００３８】
具体的には、この実施形態では、「強」ＬＥＤの点灯時に、図３のグリル設定パネル１１の「点火／消火」スイッチや、図１に示すグリル用点消火操作部２２を操作して、余熱による加熱を行う余熱調理工程を含む自動調理工程を開始すると、全調理工程の時間Ａに対する余熱調理工程の時間Ｂの比率、すなわち、Ｂ／Ａが０．２（２０％）に設定される。例えば、全調理工程が１０分のとき余熱調理工程は２分に設定される。
【００３９】
また、「標準」ＬＥＤの点灯時に、グリル設定パネル１１の「点火／消火」スイッチや図１に示すグリル用点消火操作部２２を操作して、余熱による加熱を行う余熱調理工程を含む自動調理工程を開始すると、全調理工程の時間Ａに対する余熱調理工程の時間Ｂの比率、すなわち、Ｂ／Ａが０．３（３０％）に設定される。
【００４０】
また、「弱」ＬＥＤの点灯時に、グリル設定パネル１１の「点火／消火」スイッチや図１に示すグリル用点消火操作部２２を操作して、余熱による加熱を行う余熱調理工程を含む自動調理工程を開始すると、全調理工程の時間Ａに対する余熱調理工程の時間Ｂの比率、すなわち、Ｂ／Ａが０．４（４０％）に設定される。
【００４１】
このように、余熱調理工程を設けた自動調理工程における、全調理工程の時間Ａに対する余熱調理工程の時間Ｂの比率を変更可能に構成することにより、種々の被調理物に応じて、全工程に対する余熱調理工程の時間の比率を定めることが可能になり、さらに使い勝手を向上させることができる。
【００４２】
［別実施形態］
図５は、本発明の別実施形態にかかるガスグリルを備えたグリル付きコンロの構成を示す断面図である。
【００４３】
この実施形態におけるガスグリルは、図５に示すように、グリル庫１４からの調理排気をグリル庫１４外に排出する排気路３１を備え、余熱調理工程において、調理排気が排気路３１内を通流することを抑制する調理排気通流抑制部３２を備えている。なお、この別実施形態では、図５に示すように、排気路３１をコンロ本体１０の幅方向に貫く軸を回転軸３３として回転する羽根３４を設けることにより、調理排気が排気路３１内を通流することを抑制したり、自由に通流することを許容したりするようにした機構を調理排気通流抑制部３２として用いている。
【００４４】
なお、調理排気通流抑制部３２の構成としては、例えば、図６に示すように、排気路３１の出口側に開閉可能に蓋部材３５を設けて調理排気通流抑制部３２としたり、特に図示しないが、排気路内に進出および後退の動作が可能なじゃま板を設けて調理排気通流抑制部３２として機能させるようにしたりすることが可能であり、調理排気通流抑制部３２の具体的な構成に特別の制約はない。
【００４５】
上述のように、調理排気通流抑制部３２を備えた構成とした場合、調理排気に含まれる二酸化炭素を含む調理排気を、グリル庫内に長く滞留させることが可能になる。その結果、調理排気通流抑制部３２を設けない場合に比べて、輻射熱による被調理物の加熱が行われる時間を長くすることが可能になり、省エネルギ性をさらに向上させることができる。
【００４６】
なお、上述の実施形態では、ドロップインコンロに備えるガスグリルに本発明を適用した場合を例にとって説明したが、本発明は、テーブルコンロに備えるガスグリルにも適用可能である。
【００４７】
また、本願発明は、ガスグリルをドロップインコンロやテーブルコンロと組み合わせた複合機に限られるものではなく、ガスグリル専用機にも適用することが可能である。
【００４８】
本発明は、さらにその他の点においても、上記実施形態の構成に限定されるものではなく、発明の範囲内において、種々の応用、変形を加えることが可能である。
【符号の説明】
【００４９】
１          バーナ
１ａ        標準バーナ
１ｂ        高火力バーナ
１ｃ        小バーナ
４          ガスグリル
９          温度センサ（鍋底温度センサ）
１０        コンロ本体
１１        グリル設定パネル
１２        表示部
１４        グリル庫
１５        被調理物
２１        加熱量調節指令手段（バーナ操作部）
２１ａ      標準バーナ操作部
２１ｂ      高火力バーナ操作部
２１ｃ      小バーナ操作部
２２        加熱量調節指令手段（グリルバーナ操作部）
２３        加熱量表示手段（燃焼表示ランプ（ＬＥＤランプ））
２４        電源スイッチ
２５        電源ランプ
３１        排気路
３２        調理排気通流抑制部
３３        回転軸
３４        羽根
３５        蓋部材
４１        グリルバーナ（上側バーナ）
４２        グリルバーナ（下側バーナ）
５１        五徳
ＴＰ        トッププレート
【図１】
0006732360.tif 000002
【図２】
0006732360.tif 000003
【図３】
0006732360.tif 000004
【図４】
0006732360.tif 000005
【図５】
0006732360.tif 000006
【図６】
0006732360.tif 000007